(57)【要約】【課題】  放送局側で独自情報を制作する必要が無く、受信機側で、データ放送によって配信されるコンテンツを利用して、適切な提示や処理を行うことができ、画面表示以外の提示を行うことができるデータ放送コンテンツ受信変換装置およびデータ放送コンテンツ受信変換プログラムを提供する。【解決手段】  データ放送コンテンツ受信変換装置１は、受信したデータ放送コンテンツを、変換規則に従って変換データに変換して出力するものであって、データ放送コンテンツ受信復調手段３と、トランスポートストリーム信号復号手段５と、変換情報選択手段７と、項目分類手段９と、読み上げ用情報生成手段１１と、定型文挿入手段１３と、読み方変換手段１５と、読み上げ出力手段２１と、を備えた。【選択図】      図１
2005316031.tif 000002
【特許請求の範囲】
【請求項１】
受信したデータ放送コンテンツを、変換規則に従って変換データに変換して出力するデータ放送コンテンツ受信変換装置であって、
前記データ放送コンテンツを受信し復調して、当該データ放送コンテンツを復調したトランスポートストリーム信号と、当該データ放送コンテンツの制御に係る制御情報信号とを出力するデータ放送コンテンツ受信復調手段と、
このデータ放送コンテンツ受信復調手段から出力されたトランスポートストリーム信号を復号し、データサービス情報と、このデータサービス情報を変換するための変換情報と、前記変換規則に対応して前記データ放送コンテンツの提示を支援する支援情報と、を出力するトランスポートストリーム信号復号手段と、
前記支援情報に基づいて、前記データサービス情報を変換する変換情報を選択する変換情報選択手段と、
この変換情報選択手段で選択された変換情報に基づいて、前記データサービス情報を変換する項目に分類する項目分類手段と、
この項目分類手段で分類された項目毎に、前記データサービスの記述から前記変換データに変換するのに必要な読み上げ用情報を生成する読み上げ用情報生成手段と、
この読み上げ用情報生成手段によって生成された読み上げ用情報に含まれる特定のマークに対応する、予め設定した定型文を、前記読み上げ用情報に挿入する定型文挿入手段と、
この定型文挿入手段で定型文が挿入された定型文挿入読み上げ用情報に含まれる特定の語句の読み方を、予め設定した読み方に変換した変換データとする読み方変換手段と、
この読み方変換手段で変換された変換データを読み上げて出力する読み上げ出力手段と、
を備えることを特徴とするデータ放送コンテンツ受信変換装置。
【請求項２】
前記読み方変換手段で変換された変換データを読み上げる場合の所要時間を解析する所要時間解析手段と、
この所要時間解析手段で解析された所要時間に従って、読み上げ速度を変更する読み上げ速度変更手段と、
を備えることを特徴とする請求項１に記載のデータ放送コンテンツ受信変換装置。
【請求項３】
現在の位置に関する現在位置情報を取得する位置情報取得手段と、
この位置情報取得手段で取得した現在位置情報を、データ放送で予め規定される規定情報に変換する現在位置情報変換手段と、
を備えることを特徴とする請求項１または請求項２に記載のデータ放送コンテンツ受信変換装置。
【請求項４】
受信したデータ放送コンテンツを、変換規則に従って変換データに変換して出力するために、コンピュータを、
前記データ放送コンテンツを受信し復調して、当該データ放送コンテンツを復調したトランスポートストリーム信号と、当該データ放送コンテンツの制御に係る制御情報信号とを出力するデータ放送コンテンツ受信復調手段、
このデータ放送コンテンツ受信復調手段から出力されたトランスポートストリーム信号を復号し、データサービス情報と、このデータサービス情報を変換するための変換情報と、前記変換規則に対応して前記データ放送コンテンツの提示を支援する支援情報と、を出力するトランスポートストリーム信号復号手段、
前記支援情報に基づいて、前記データサービス情報を変換する変換情報を選択する変換情報選択手段、
この変換情報選択手段で選択された変換情報に基づいて、前記データサービス情報を変換する項目に分類する項目分類手段、
この項目分類手段で分類された項目毎に、前記データサービスの記述から前記変換データに変換するのに必要な読み上げ用情報を生成する読み上げ用情報生成手段、
この読み上げ用情報生成手段によって生成された読み上げ用情報に含まれる特定のマークに対応する、予め設定した定型文を、前記読み上げ用情報に挿入する定型文挿入手段、
この定型文挿入手段で定型文が挿入された定型文挿入読み上げ用情報に含まれる特定の語句の読み方を、予め設定した読み方に変換した変換データとする読み方変換手段、
この読み方変換手段で変換された変換データを読み上げて出力する読み上げ出力手段、
として機能させることを特徴とするデータ放送コンテンツ受信変換プログラム。
【発明の詳細な説明】
【技術分野】
【０００１】
本発明は、データ放送によって提供されるコンテンツを受信して、画面表示させる以外の他の提示手段に出力可能に変換するデータ放送コンテンツ受信変換装置およびデータ放送コンテンツ受信変換プログラムに関する。
【背景技術】
【０００２】
従来、コンテンツ（番組、ここでは、テキスト情報［テキストデータ］を含むもの）を変換して、音声として読み上げるものとして、「情報処理装置および方法」（特許文献１参照）、「変換辞書の選択方法および文字放送の読み上げ装置」（特許文献２参照）等様々なものが提案されている。
【０００３】
「情報処理装置および方法」は、放送局から放送されるコンテンツに含まれているテキスト情報（テキストデータ）を読み上げるもので、当該テキスト情報の種別による優先度を設定することによって、読み上げる順序（提示順序）を変化させることを可能にしている。
【０００４】
「変換辞書の選択方法および文字放送の読み上げ装置」は、テキスト情報を読み上げる際の読み方について、最適な読み方を、当該テキスト情報の種別に基づいて、予め蓄積している複数の変換辞書を選択して、参照することで決定するものである。
【０００５】
また、従来、コンテンツを変換することに関して、「コンテンツ再構成システム及びコンテンツ再構成プログラムを記録した記録媒体」（特許文献３参照）、「データ配信方法及び装置、並びに、データ受信方法及び装置」（特許文献４参照）等様々なものが提案されている。
【０００６】
「コンテンツ再構成システム及びコンテンツ再構成プログラムを記録した記録媒体」は、放送波（ＢＳデータ放送チャンネル）によって供給され蓄積されたコンテンツ（放送コンテンツ）、通信回線（ネットワーク）を介して取得したコンテンツおよび予め受信機内に蓄積しているテンプレートを組み合わせて、新たなコンテンツに再構成・再編集することで、コンテンツの様々な視聴方法を実現するものである。なお、テンプレートはコンテンツの視聴形態を制御するもので、受信機の入力インターフェースを介して入力されるものである。また、コンテンツの再構成・再編集は、コンテンツを構成している各モジュールの組み合わせを変更して再構成・再編集するものであり、モジュール内部から情報を抽出して、再構成・再編集を行うものではない。
【０００７】
「データ配信方法及び装置、並びに、データ受信方法及び装置」は、独自に設定した様々なＤＴＤ（Ｄｏｃｕｍｅｎｔ  Ｔｙｐｅ  Ｄｅｆｉｎｉｔｉｏｎ；文書型定義）のＸＭＬ（ｅＸｔｅｎｓｉｂｌｅ  Ｍａｒｋｕｐ  Ｌａｎｇｕａｇｅ）文書を放送波によって伝送し、ＸＳＬＴ（ｅＸｔｅｎｓｉｂｌｅ  Ｓｔｙｌｅｓｈｅｅｔ  Ｌａｎｇｕａｇｅ  Ｔｒａｎｓｆｏｒｍａｔｉｏｎｓ）文書を使って変換し、コンテンツとして提示するものである。
【０００８】
【特許文献１】特開２００２−２３２３１２号公報（段落００２６〜００３４、図３）
【特許文献２】特開２０００−１４８１７４号公報（段落００１９〜００３１、図１）
【特許文献３】特開２００１−３４５２３号公報（段落００３０〜００３３、図２）
【特許文献４】特開２００１−１６２０２号公報（段落００４９〜００６３、図２）
【発明の開示】
【発明が解決しようとする課題】
【０００９】
ところで、現在、デジタル放送におけるデータ放送は、放送規格に準じた受信機による画面提示を前提に放送局側で制作され送出されているので、当該放送規格以外の受信機（例えば、異なるデータ符号化方式を用いた受信機）に対しては、基本的にデータ放送のサービス利用は不可能である。
【００１０】
また、データ放送によって配信されるコンテンツ若しくは当該コンテンツの一部を、受信機側で他の目的に利用する場合においても、当該コンテンツの意味内容を示す情報（以下、意味内容情報という）を持ち得ない（コンテンツ内にタイトルや本文といった意味内容を表す論理構造を持っていない）ので、この意味内容情報に応じた、当該コンテンツの適切な提示や処理を受信機側で行うことは困難であるという問題がある。
【００１１】
つまり、従来の「情報処理装置および方法」、「変換辞書の選択方法および文字放送の読み上げ装置」、「コンテンツ再構成システム及びコンテンツ再構成プログラムを記録した記録媒体」および「データ配信方法及び装置、並びに、データ受信方法及び装置」では、デジタル放送におけるデータ放送によって配信されるコンテンツを利用して、当該コンテンツの適切な提示や処理を受信機側で行うことは困難であるという問題がある。
【００１２】
或いは、放送局側で、放送規格以外の受信機（以下、特定受信機という）向けに、独自情報を制作して送出することは、放送局側（コンテンツ制作側）の人的・設備的な負担がかかり、多種多様の特定受信機に対応する独自情報を制作して送出することは、伝送路上の帯域制限もあり、現実的に困難であるという問題がある。
【００１３】
さらに、データ放送によって配信されるコンテンツ（データ放送コンテンツ）は、デジタル放送（地上デジタル放送）によって提供される多チャンネル番組や高画質なハイビジョン番組と共に配信（送信）されるもので、最新のニュース情報等のテキストデータや気象情報等の各種のデータを含むものである。ちなみに、地上デジタル放送では、当該地上デジタル放送の特長である、伝送上の特質から自動車や電車（列車）若しくは歩行（徒歩）による移動中でも安定した受信（安定した画面表示）が可能であり、いつでも、どこでもデータ放送コンテンツの視聴（放送サービスを利用すること）が可能である。しかし、データ放送コンテンツの利用者（放送サービスの利用者）が、例えば、自動車の運転中や道路を歩行中に、画面表示されるデータ放送コンテンツを視聴することは安全上の観点からすると好ましくなく、音声で提示される提示方法をとった方が好ましいと言える。
【００１４】
そこで、本発明では、前記した問題を解決し、放送局側で独自情報を制作する必要が無く、受信機側で、データ放送によって配信されるコンテンツを利用して、適切な提示や処理を行うことができ、画面表示以外の提示を行うことができるデータ放送コンテンツ受信変換装置およびデータ放送コンテンツ受信変換プログラムを提供することを目的とする。
【課題を解決するための手段】
【００１５】
前記課題を解決するため、請求項１記載のデータ放送コンテンツ受信変換装置は、受信したデータ放送コンテンツを、変換規則に従って変換データに変換して出力するデータ放送コンテンツ受信変換装置であって、データ放送コンテンツ受信復調手段と、トランスポートストリーム信号復号手段と、変換情報選択手段と、項目分類手段と、読み上げ用情報生成手段と、定型文挿入手段と、読み方変換手段と、読み上げ出力手段と、を備える構成とした。
【００１６】
かかる構成によれば、データ放送コンテンツ受信変換装置は、データ放送コンテンツ受信復調手段によって、データ放送によって配信されるデータ放送コンテンツを受信して復調し、当該データ放送コンテンツを復調したトランスポートストリーム信号（ＴＳ信号）を出力する。データ放送コンテンツは、少なくとも、文字情報（テキストデータ）を含むものであり、通常、ＸＭＬに準拠した記述言語であるＢＭＬ（Ｂｒｏａｄｃａｓｔ  Ｍａｒｋｕｐ  Ｌａｎｇｕａｇｅ）で記述されている。
【００１７】
続いて、データ放送コンテンツ受信変換装置は、トランスポートストリーム信号復号手段によって、データ放送コンテンツ受信復調手段から出力されたトランスポートストリーム信号を復号して、データサービス情報と、変換情報と、支援情報とを出力する。データサービス情報は、ＢＭＬによって記述されているＸＭＬ文書であり、データ放送コンテンツの本体部分と言えるものである。変換情報は、データサービス情報を変換するための情報であり、当該データサービス情報それぞれに対応したもので、例えば、ＸＳＬＴ文書である。支援情報は、変換規則を記述した情報であり、変換情報と対応関係を示す対応情報が含まれている。
【００１８】
そして、データ放送コンテンツ受信変換装置は、変換情報選択手段によって、支援情報、すなわち、変換規則とデータサービス情報との対応情報とに基づいて、データサービス情報を変換する変換情報を選択する。そして、データ放送コンテンツ受信変換装置は、項目分類手段によって、変換情報選択手段で選択された変換情報に基づいて、データサービス情報を変換する項目に分類する。ここで、変換する項目とは、ＢＭＬ文書であるデータサービス情報の各タグ部分を指し、このタグで挟まれている部分にテキストデータが含まれている。
【００１９】
そして、データ放送コンテンツ受信変換装置は、読み上げ用情報生成手段によって、項目分類手段で分類された項目毎に、読み上げ用情報を生成する。つまり、この読み上げ用情報生成手段では、ＢＭＬ文書であるデータ放送コンテンツを読み上げ用の記述規則に置換しすることで、読み上げ用情報としている。読み上げ用の記述規則は、データサービス情報の各タグと特定の記号（例えば＄）とを結合したマークを基本に作成したものである。
【００２０】
そして、データ放送コンテンツ受信変換装置は、定型文挿入手段によって、読み上げ用情報に含まれる特定のマークに対応する、予め設定した定型文（定型のテキストデータ）を挿入する。予め設定した定型文とは、例えば、データ放送コンテンツがニュース番組である場合には、最初のマークの部分に、定型文「今日のニュースです」といったテキストデータを挿入（置換）する。
【００２１】
そして、データ放送コンテンツ受信変換装置は、読み方変換手段によって、定型文挿入手段で定型文が挿入された定型文挿入読み上げ用情報に含まれる特定の語句の読み方を、予め設定した読み方に変換し、変換データとする。予め設定した読み方とは、例えば、「ａ〜ｂ」の「〜」に対して「から」という読み方を指すものである。その後、データ放送コンテンツ受信変換装置は、読み上げ出力手段によって、読み方変換手段で変換された変換データを読み上げて出力する、つまり、出力音声（合成音声）とする。なお、この読み上げ出力手段は、当該データ放送コンテンツ受信変換装置に一体的に設けられていなくてもよく、別体の外部機器として、当該データ放送コンテンツ受信変換装置に接続される態様であってもよい。
【００２２】
請求項２記載のデータ放送コンテンツ受信変換装置は、請求項１に記載のデータ放送コンテンツ受信変換装置において、所要時間解析手段と、読み上げ速度変更手段と、を備えることを特徴とする。
【００２３】
かかる構成によれば、データ放送コンテンツ受信変換装置は、所要時間解析手段によって、読み方変換手段で変換された変換データを読み上げるのに要する時間（所要時間）を解析する。つまり、この所要時間解析手段では、変換データに含まれている文字数をカウントして、予め設定した読み上げ速度で、カウントした文字数の文字を読み上げた場合の時間（所要時間）を解析する。
【００２４】
続いて、データ放送コンテンツ受信変換装置は、読み上げ速度変更手段によって、当該装置１の利用者の設定、例えば、利用者が所望する時間内に変換データの読み上げが完了するように、変換データを読み上げる読み上げ速度を変更する。
【００２５】
請求項３記載のデータ放送コンテンツ受信変換装置は、請求項１または請求項２に記載のデータ放送コンテンツ受信変換装置において、位置情報取得手段と、現在位置情報変換手段と、を備えることを特徴とする。
【００２６】
かかる構成によれば、データ放送コンテンツ受信変換装置は、位置情報取得手段によって、現在の位置に関する現在位置情報を取得する。この位置情報取得手段は、ＧＰＳ等によって構成されるもので、現在位置情報は、少なくとも地域（県、市、区）を特定する精度を有するものである。そして、データ放送コンテンツ受信変換装置は、現在位置情報変換手段によって、位置情報取得手段で取得した現在位置情報を、データ放送で予め規定される規定情報に変換する。この規定情報は、例えば、データ放送コンテンツが天気予報に関するものであり、当該天気予報が郵便番号で分類される区域毎に与えられている場合、当該郵便番号を指す。つまり、規定情報は、現在位置情報とデータ放送コンテンツとの関連づけが可能な情報である。
【００２７】
請求項４記載のデータ放送コンテンツ受信変換プログラムは、受信したデータ放送コンテンツを、変換規則に従って変換データに変換して出力する装置を、データ放送コンテンツ受信復調手段、トランスポートストリーム信号復号手段、変換情報選択手段、項目分類手段、読み上げ用情報生成手段、定型文挿入手段、読み方変換手段、読み上げ出力手段、として機能させる構成とした。
【００２８】
かかる構成によれば、データ放送コンテンツ受信変換プログラムは、データ放送コンテンツ受信復調手段によって、データ放送コンテンツを受信し復調してトランスポートストリーム信号を出力し、このトランスポートストリーム信号を、トランスポートストリーム信号復号手段によって、データサービス情報と、変換情報と、支援情報とに復号する。そして、データ放送コンテンツ受信変換プログラムは、変換情報選択手段によって、支援情報に基づいて、データサービス情報を変換する変換情報を選択し、この変換情報に基づいて、項目分類手段によって、データサービス情報を変換する項目に分類する。
【００２９】
そして、データ放送コンテンツ受信変換プログラムは、読み上げ用ＸＭＬ情報生成手段によって、項目分類手段で分類された項目毎に、データサービス情報を記述しているＢＭＬから、読み上げ用情報を生成し、定型文挿入手段によって、当該読み上げ用情報に含まれる特定のマークに対し、当該マークに対応する予め設定した定型文を挿入する。そして、データ放送コンテンツ受信変換プログラムは、読み方変換手段によって、定型文挿入手段で定型文が挿入された定型文挿入読み上げ用情報に含まれる特定の語句の読み方を、予め設定した読み方に変換して、変換データとし、この変換データを読み上げ出力手段によって読み上げる。
【発明の効果】
【００３０】
請求項１、４に記載の発明によれば、データ放送コンテンツの内容を記述しているデータサービス情報を画面表示以外の提示方法（読み上げ提示）に適した変換データに変換しているので、放送局側で独自情報を制作する必要が無く、データ放送コンテンツ受信変換装置側（受信機側）で、データ放送によって配信されるデータ放送コンテンツを利用して、画面表示以外の適切な提示（音声による出力）を行うことができる。
【００３１】
請求項２に記載の発明によれば、変換された変換データを読み上げるのに要する時間（所要時間）を解析して、読み上げる速度を変更することができるので、放送局側で独自情報を制作する必要が無く、データ放送コンテンツ受信変換装置側（受信機側）で、データ放送によって配信されるデータ放送コンテンツを利用して、画面表示以外の適切な提示（音声による出力）と適切な処理（読み上げ速度の変更）とを行うことができる。
【００３２】
請求項３に記載の発明によれば、現在の位置に関する現在位置情報を取得し、この現在位置情報を、データ放送で予め規定される規定情報に変換するので、放送局側で独自情報を制作する必要が無く、データ放送コンテンツ受信変換装置側（受信機側）で、データ放送によって配信されるデータ放送コンテンツを利用して、適切な処理（現在位置に基づいく、データ放送コンテンツの提示）を行うことができる。また、当該装置の利用者は、現在位置に最適な情報を取得することができる。
【発明を実施するための最良の形態】
【００３３】
次に、本発明の実施形態について、適宜、図面を参照しながら詳細に説明する。
〈データ放送コンテンツ受信変換装置の構成〉
図１は、データ放送コンテンツ受信変換装置のブロック図である。この図１に示すように、データ放送コンテンツ受信変換装置１は、データ放送によって配信されるデータ放送コンテンツを受信し、当該データ放送コンテンツを変換規則によって変換し、当該データ放送コンテンツの内容を音声で読み上げるもので、データ放送コンテンツ受信復調手段３と、トランスポートストリーム信号復号手段５と、変換情報選択手段７と、項目分類手段９と、読み上げ用情報生成手段１１と、定型文挿入手段１３と、読み方変換手段１５と、読み上げ速度変更手段１７と、所要時間解析手段１９と、読み上げ出力手段２１と、位置情報取得手段２３と、現在位置情報変換手段２５と、制御情報信号記憶手段２７と、支援情報出力制御手段２９と、操作指示手段３１とを備えている。
【００３４】
このデータ放送コンテンツ受信変換装置１は、画面表示することを前提に制作され、地上波、衛星または他の伝送手段（ブロードバンドネットワーク等）によって、デジタル放送されているデータ放送コンテンツ（各種の放送サービス）を、変換・解析・処理することで、再構成し、画面表示以外の提示形態（音声による読み上げ）で提示するものである。
【００３５】
例えば、このデータ放送コンテンツ受信変換装置１は、車載可能（携帯可能）に小型化されており、当該装置１の利用者（放送サービスの利用者）が、自動車の運転中や道路を歩行中に、データ放送コンテンツを視聴したくなった際に、音声による読み上げによって、当該データ放送コンテンツの内容を知り得ることができるように構成されている。
【００３６】
この実施形態において、データ放送コンテンツ受信変換装置１が受信するデータ放送コンテンツの配信方法（送信方法）であるデータ放送方式は、ＩＳＯ／ＩＥＣが定める国際規格ＭＰＥＧ（Ｍｏｖｉｎｇ  Ｐｉｃｔｕｒｅ  ｃｏｄｉｎｇ  Ｅｘｐｅｒｔ  Ｇｒｏｕｐ）−２  Ｓｙｓｔｅｍｓ、（社）電波産業会が策定する標準規格“デジタル放送におけるデータ放送符号化方式と伝送方式”（ＡＲＩＢ  ＳＴＤ−Ｂ２４）および関連する標準規格若しくは運用規定に従っているものである。また、データ放送コンテンツ（放送サービス）は、ＡＲＩＢ  ＳＴＤ−Ｂ２４標準に準拠したＢＭＬによって記述されているものとしている。但し、データ放送コンテンツが、他のデジタル放送システムまたはデータ放送規格で採用されている記述言語、例えば、ＸＨＴＭＬで記述されたものであっても、データ放送コンテンツ受信変換装置１では同様に取り扱うことが可能である。
【００３７】
データ放送コンテンツ受信復調手段３は、受信アンテナ等によって、到達した放送波を受信（選局受信）し、トランスポートストリーム信号と、放送の選局制御に係る制御情報信号とを出力する。
【００３８】
このデータ放送コンテンツ受信復調手段３で復調されたトランスポートストリーム信号には、通常の放送番組（番組）を構成する映像信号および音声信号、各種のデータ放送コンテンツを構成するデータ情報等がパケット形式で含まれている。
【００３９】
このデータ放送コンテンツ受信復調手段３で復調された制御情報信号は、放送番組を選択する際に必要となる情報、すなわち、放送規格によって定められている番組配列情報（ＳＩ；Ｓｅｒｖｉｃｅ  Ｉｎｆｏｒｍａｔｉｏｎ）を含むものである。この制御情報信号は、後記する制御情報信号記憶手段２７に記憶される。
【００４０】
番組配列情報は、近々放送される予定である放送予定番組を画面に表示するための番組表と、放送番組を選局する際の選局動作に関する選局動作情報とを少なくとも含むものである。この番組配列情報から放送事業者名、放送時間および番組名（タイトル名）を構成するＳＤＴ（Ｓｅｒｖｉｃｅ  Ｄｅｓｃｒｉｐｔｉｏｎ  Ｔａｂｌｅ）若しくはＥＩＴ（Ｅｖｅｎｔ  Ｉｎｆｏｒｍａｔｉｏｎ  Ｔａｂｌｅ）等の情報を抽出し、図示を省略した復号提示手段（ＳＤＴ、ＥＩＴを復号して表示装置に出力するもの）に入力することで、一定期間（例えば、１週間）における放送番組の放送予定を一覧表示した番組表を表示することができる。
【００４１】
また、この番組表を当該装置１の利用者が参照することで、当該装置１の利用者が操作指示手段３１（詳細は後記する）によって、放送番組を放送している放送局を選択する選局動作が行われる。この選局動作は、操作指示手段３１から入力される入力信号が、当該装置１に予め組み込まれている制御体系信号に変換された後、この制御体系信号によって、制御情報信号の１種として放送されるＰＡＴ（Ｐｒｏｇｒａｍ  Ａｓｓｏｃａｔｉｏｎ  Ｔａｂｌｅ）およびＰＭＴ（Ｐｒｏｇｒａｍ  Ｍａｐ  Ｔａｂｌｅ）の内容が読み出され、選局動作用の制御情報信号として、データ放送コンテンツ受信復調手段３に返信されることで行われる。
【００４２】
トランスポートストリーム信号復号手段５は、データ放送コンテンツ受信復調手段３から出力されるトランスポートストリーム信号のパケットヘッダに含まれるパケット識別子（ＰＩＤ）に基づいて、データ放送コンテンツに関する情報のみ（映像信号および音声信号は除く）を選択し、当該データ放送コンテンツの放送規格に準拠したデータ放送方式（例えば、データカルーセル方式）によって伝送されているものを復号して、データサービス情報と、変換情報と、支援情報とを分離して出力するものである。ちなみに、データ放送コンテンツに関する情報以外の映像信号および音声信号は、前記した復号提示手段（図示せず）に出力される。
【００４３】
データサービス情報は、ＢＭＬによって記述されたＸＭＬ文書であり、データ放送コンテンツを構成している各種のデータである。つまり、データ放送コンテンツの本体部分と言えるものである。このデータサービス情報は、項目分類手段９に出力される。
【００４４】
変換情報は、支援情報に基づいて、データサービス情報を変換するためのもので、この実施形態ではＸＳＬＴ文書である。この変換情報は、変換情報選択手段７に出力される。ここで、この変換情報であるＸＳＬＴ文書の一例を図２に示す。この図２に示すように、変換情報であるＸＳＬＴ文書を記述しているＸＳＬＴは、元々ＸＭＬ用スタイルシート言語であるＸＳＬ（ｅＸｔｅｎｓｉｂｌｅ  Ｓｔｙｌｅｓｈｅｅｔ  Ｌａｎｇｕａｇｅ）の仕様の一部であり、ＸＭＬ文書の構造を出力用に変換すると共に、フォーマット情報を付加可能にするものである。なお、この変換情報の取得方法（取得手段）については、データ放送コンテンツ受信復調手段３によって、放送波として受信される（放送伝送路による伝送）以外に、図示を省略した通信回線を介して受信する場合や、その他の手段を利用する（例えば、変換情報が記憶された記憶媒体を利用する）場合が想定される。
【００４５】
図２において、例えば、〈ｎｅｗｓ〉および〈／ｎｅｗｓ〉はデータ放送コンテンツの種別を示すタグであり、〈ｉｔｅｍ〉および〈／ｉｔｅｍ〉はデータ放送コンテンツの項目と順序を表すタグである。
【００４６】
図１に戻って、データ放送コンテンツ受信変換装置１の構成の説明を続ける。
支援情報は、読み上げ用拡張変換辞書、読み上げ用変換規則情報および変換情報に対応する対応情報を含むものである。この支援情報は、変換情報選択手段７および支援情報出力制御手段２９に出力される。
【００４７】
変換情報選択手段７は、支援情報に含まれている対応情報を参照することで、変換情報を選択するものである。この変換情報は、データサービス情報に対応するものである。また、この変換情報選択手段７で選択された変換情報は項目分類手段９に出力される。
【００４８】
項目分類手段９は、変換情報選択手段７で選択された変換情報であるＸＳＬＴ文書を記述しているＸＳＬＴによって規定されている変換規則に従って、データサービス情報を、項目毎に分類し、変換するものである。ここで、項目分類手段９に、図２に示した変換情報が入力され場合、当該項目分類手段９によって、データサービス情報を項目毎に分類した例を図３、図４に示す。
【００４９】
図３は、トランスポートストリーム信号復号手段５から出力されたデータサービス情報の一例（記述例）を示した図であり、図４は、当該データサービス情報が項目分類手段９に入力された際の出力、つまり、変換されたＸＭＬ文書を示した図である。なお、図３に示したデータサービス情報の一例（記述例）では、表示属性、選択動作、手続き記述等、本発明と直接かかわりがない部分を省略している。
【００５０】
これら図３、図４に示すように、項目分類手段９では、ＢＭＬとして記述されているデータサービス情報に対応する変換情報（ＸＳＬＴ文書）が入力されることで、この変換情報を変換規則として、当該データサービス情報（ＢＭＬ）に適用し、所望の項目のみを、変換されたＸＭＬ文書として抽出している。
【００５１】
なお、項目分類手段９によってデータサービス情報に含まれている項目を抽出する際に、データサービス情報の情報種別を示す分野情報や、データサービス情報の重要度を示す重要度情報や、当該装置１の利用者の操作を支援する操作支援情報が当該データサービス情報に含まれている場合、項目分類手段９によって、これらの情報（分野情報、重要度情報、操作支援情報）を、ＸＭＬ文書の一部として抽出してもよい。
【００５２】
同様に、項目分類手段９では、データサービス情報の情報種別毎に、当該データサービス情報に対応する変換情報（ＸＳＬＴ文書）が入力されることで、この変換情報を変換規則として、当該データサービス情報（ＢＭＬ）に適用し、所望の項目のみを、変換されたＸＭＬ文書として抽出している。
【００５３】
図１に戻って、データ放送コンテンツ受信変換装置１の構成の説明を続ける。
読み上げ用情報生成手段１１は、項目分類手段９で分類された所望の項目から読み上げ出力手段２１で読み上げるための変換データとなる読み上げ用情報を生成するものである。つまり、この読み上げ用情報生成手段１１は、図示を省略した記憶手段を備えており、項目分類手段９で分類された所望の項目を記憶して、これらの項目を合成することで、読み上げ用情報を生成するものである。
【００５４】
読み上げ用情報は、容易に木構造（ツリー構造）に展開が可能なものである。ここで、図４に示した項目毎に分類されたデータサービス情報を、木構造に展開したものを図５に示す。
【００５５】
この図５では、四角で囲った部分「ＸＭＬ」、「ｎｅｗｓ」、「ｉｔｅｍ」、「ｔｉｔｌｅ」および「ｒｅｐｏｒｔ」が、ＸＭＬ情報のタグを示しており、丸で囲った部分がタグに対応する属性を示しており、下線を引いた部分がデータの実体を示している。この図５で示したＸＭＬ情報は、例えば、一般のニュース、経済情報、気象情報（天気予報）といったデータサービス情報毎に生成されるものである。図５に示すように、「ＸＭＬ」のタグの直下に「ｎｅｗｓ」のタグが接続され、また、この「ｎｅｗｓ」のタグに、ｎ個の「ｉｔｅｍ」のタグ（識別子ｉｄ＝１〜・・・）が接続されている。さらに、「ｉｔｅｍ」のタグそれぞれには、「ｔｉｔｌｅ」および「ｒｅｐｏｒｔ」のタグが接続されており、木構造をなしている。
【００５６】
ここで、さらに、読み上げ用情報生成手段１１の動作例を、図６に示すフローチャートを参照して説明する（適宜、図１参照）。
まず、読み上げ用情報生成手段１１は、入力される所望の項目の中で、データサービス情報の情報種別を示すタグ（例えば、〈ｎｅｗｓ〉）を、ＸＭＬ情報を生成する基準にするために抽出する（ステップＳ１）。そして、当該情報種別「ｎｅｗｓ」を＄ｎｅｗｓ（タグの前に＄を付したもの）マークとして出力する（ステップＳ２）。
【００５７】
続いて、読み上げ用情報生成手段１１は、項目と当該項目の順序を示すタグ「ｉｔｅｍ」を＄ｉｔｅｍとし、「ｉｔｅｍ」を識別する識別子ｉｄ値（ｉｄ＝１・・・）を単にｉｄとし、「ｉｔｅｍ」の数（項目総数）を＄ｉｔｅｍｓ（初期値、＄ｉｔｅｍｓ＝０）として、ｉｔｅｍの数のカウントを開始し（ステップＳ３）、＄ｉｔｅｍｓおよびｉｄを抽出し出力する（ステップＳ４）。
【００５８】
そして、読み上げ用情報生成手段１１は、ｉｔｅｍタグ内の木構造内に存在する情報内容のみを抽出し出力する（ステップＳ５）。すなわち、ｉｔｅｍタグ内の木構造内に存在するｔｉｔｌｅタグやｒｅｐｏｒｔタグといった、読み上げ出力する際に必要のない情報を除きながら、順次、必要な情報内容を出力する。
【００５９】
この際に、読み上げ用情報生成手段１１は、１つのｉｔｅｍタグ内の木構造内に存在する情報内容の抽出・出力が完了した時点で＄ｉｔｅｍｓの数を１増加させる（カウントする；＄ｉｔｅｍｓ＋１）（ステップＳ６）。
【００６０】
そして、読み上げ用情報生成手段１１は、〈ｎｅｗｓ〉タグの終了を示す〈／ｎｅｗｓ〉まで（最終項目まで）、それぞれのｉｔｅｍタグ内の木構造内に存在する情報内容の抽出・出力が完了したか否かを判断し（ステップＳ７）、完了したと判断するまで（ステップＳ７、Ｎｏ）、ステップＳ４からステップＳ６の動作を繰り返し、完了したと判断した場合（ステップＳ７、Ｙｅｓ）、＄ｎｅｗｓマークの後に、＄ｉｔｅｍｓマークを付加して出力する（ステップＳ８）。
【００６１】
この読み上げ用情報生成手段１１の一連の動作を通じて生成される読み上げ用情報の例を、図７に示す。この図７に示すように、ＸＭＬ情報の冒頭の「＄ｎｅｗｓ  ＄ｉｔｅｍｓ＝７」は、＄ｎｅｗｓマークについて、項目数が７個存在することを示しており、「＄ｉｔｅｍ  ｉｄ＝１」から「＄ｉｔｅｍ  ｉｄ＝７」までのそれぞれには、情報内容（読み上げ提示用のデータ）が収められている。
【００６２】
なお、この読み上げ用情報生成手段１１で生成される読み上げ用情報は、放送局側で画面表示することを前提に制作され、伝送された複数のデータ放送コンテンツのデータサービス情報を、受信側であるデータ放送コンテンツ受信変換装置１において、変換情報であるＸＳＬＴに従って変換し、一連の読み上げ提示用のデータとして整理・統合したものであるが、当該ＸＭＬ情報には、画面表示を前提として記述された“区切り記号”や“括弧”等の特殊記号が未だ含まれている。なお、これらの“区切り記号”や“括弧”等の特殊記号については、読み方変換手段１５で処理される（詳細な取り扱いは後記する）。
【００６３】
図１に戻って、データ放送コンテンツ受信変換装置１の構成の説明を続ける。
定型文挿入手段１３は、読み上げ用情報生成手段１１で生成された読み上げ用情報に、予め設定した定型文を挿入するもので、定型文蓄積手段１３ａと、時刻情報発生手段１３ｂとを備えている。以下、定型文を挿入した読み上げ用情報を定型文挿入読み上げ用情報とする。この定型文挿入手段１３は、読み上げ用情報に含まれているマークの記述に対応付けられている定型文を、当該記述を検出する毎に挿入していくものである。
【００６４】
定型文は、データ放送コンテンツ受信変換装置１が受信した元来のデータ放送コンテンツに含まれていない独自情報と言えるもので、例えば、図７に示した読み上げ用情報の冒頭の「＄ｎｅｗｓ  ＄ｉｔｅｍｓ＝７」の後に「今日のニュースです」といった文（テキストデータ）が挙げられる。
【００６５】
つまり、定型文は、データ放送コンテンツのデータサービス情報がニュースであった場合に、このニュースを読み上げた際に、当該ニュースの項目の順序を告げる文言（例えば、“はじめに”、“次に”、“また”、“終わりに”）や、説明的或いは修飾的な語句（適切な補足文）である。この定型文を挿入することによって、当該装置１の利用者は、データ放送コンテンツのデータサービス情報をより自然な形式で、あたかもラジオ放送を聞いているように利用することができる。
【００６６】
定型文蓄積手段１３ａは、メモリ、ハードディスク等の記憶媒体によって構成されており、複数の定型文（ラベルと定型文との対応情報）を蓄積するものである。なお、この定型文蓄積手段１３ａで蓄積されている定型文は、読み上げ用情報に含まれている情報種別を示すマーク（例えば「＄ｎｅｗｓ」（ニュース情報）、「＄ｅｃｏ」（経済情報）、「＄ｗｅａｔｈｅｒ」（気象情報））や項目と当該項目の順序を示すマーク（＄ｉｔｅｍ  ｉｄ＝ｎ（数値））や読み上げ用情報に含まれるラベル（例えば、「：ｓｔａｒｔ」、「：ｅｎｄ」）に対応付けられている。
【００６７】
ここで、定型文蓄積手段１３ａに蓄積されているラベルと定型文との対応情報の例を図８に示す。この図８に示すように、ラベル「：ｓｔａｒｔ」は「時刻は＄ｔｉｍｅとなりました。最新の情報をお伝えします。」と関連付けられており、ラベル「：ｎｅｗｓ」は「ニュースです。」と関連付けられている。また、ラベル「：ｎｅｗｓ＿ｔｏｐ」は「最初のニュースです。」と関連付けられており、ラベル「：ｎｅｗｓ＿ｌａｓｔ」は「最後のニュースです。」と関連付けられている。さらに、ラベル「：ｅｃｏ」は「経済情報です。」と関連付けられており、ラベル「：ｗｅａｔｈｅｒ」は「気象状況です。」と関連付けられており、ラベル「：ｅｎｄ」は「時刻は＄ｔｉｍｅです。」と関連付けられている。
【００６８】
図１に戻って、データ放送コンテンツ受信変換装置１の構成の説明を続ける。
時刻情報発生手段１３ｂは、当該装置１に予め組み込まれている時計機能であり、年、日、時、分および秒からなる時刻情報（例えば、２００４年４月１３日１０時３８分４０秒は２００４／０４／１３／１０：３８：４０と表現される）を発生するものである。なお、この時刻情報発生手段１３ｂで発生される時刻情報は、読み上げ用情報に含まれている時刻を示すラベル（＄ｔｉｍｅ）に対応付けられている。
【００６９】
ここで、この定型文挿入手段１３の動作例を、図９に示すフローチャートを参照して説明する（適宜、図１参照）。
まず、定型文挿入手段１３は、読み上げ用情報の冒頭に記述されているラベル「：ｓｔａｒｔ」について、定型文蓄積手段１３ａを参照して、定型文（独自情報）を追加（挿入）する（ステップＳ１１）。この場合、追加（挿入）される定型文が、例えば、“時刻は「＄ｔｉｍｅ」になりました。最新の情報をお伝えします。”であった場合、「＄ｔｉｍｅ」には、時刻情報発生手段１３ｂで発生される時刻情報（例えば、時刻情報の中で、何時何分のみ）が代入される。
【００７０】
続いて、定型文挿入手段１３は、読み上げ用情報に含まれている情報種別を示すマーク（「＄ｎｅｗｓ」（ニュース）、「＄ｅｃｏ」（経済）等）を検出し、このマークが「＄ｎｅｗｓ」であるか否かを判断する（ステップＳ１２）。検出したマークが「＄ｎｅｗｓ」であると判断された場合（ステップＳ１２、Ｙｅｓ）、ラベル「：ｎｅｗｓ」で参照される定型文（例えば、“ニュースです。”）を、定型文蓄積手段１３ａから検索して、当該読み上げ用ＸＭＬ情報に追加（挿入）する（：ｎｅｗｓで参照される定型文追加）（ステップＳ１３）。
【００７１】
ここではまず、定型文挿入手段１３は、「＄ｎｅｗｓ」の情報内容（読み上げ提示用のデータ）について、最初の項目か否かを判断し（ステップＳ１４）、最初の項目でないと判断した場合（ステップＳ１４、Ｎｏ）には、ステップＳ１６に移行し、最初の項目であると判断した場合（ステップＳ１４、Ｙｅｓ）には、ラベル「：ｎｅｗｓ＿ｔｏｐ」で参照される定型文（例えば、“最初のニュースです。”）を、定型文蓄積手段１３ａから検索して、当該読み上げ用情報に追加（挿入）する（ステップＳ１５）。
【００７２】
続いて、定型文挿入手段１３は、「＄ｎｅｗｓ」の情報内容（読み上げ提示用のデータ）について、最後の項目か否かを判断し（ステップＳ１６）、最後の項目でないと判断した場合（ステップＳ１６、Ｎｏ）には、ステップＳ１４に戻り、最後の項目であると判断した場合（ステップＳ１６、Ｙｅｓ）には、ラベル「：ｎｅｗｓ＿ｅｎｄ」で参照される定型文（例えば、“最後のニュースです。”）を、定型文蓄積手段１３ａから検索して、当該読み上げ用情報に追加（挿入）する（ステップＳ１７）。
【００７３】
なお、これらのラベル「：ｎｅｗｓ＿ｔｏｐ」および「：ｎｅｗｓ＿ｅｎｄ」は、読み上げ用情報に含まれている情報種別を示すマーク「＄ｎｅｗｓ」の情報内容（読み上げ提示用のデータ）の出現順序を示すものである。
【００７４】
また、ステップＳ１２にて、検出したマークが「＄ｎｅｗｓ」であると判断されなかった場合（ステップＳ１２、Ｎｏ）、定型文挿入手段１３は、ステップＳ１２と同様に、読み上げ用情報に含まれている情報種別を示すマークを検出し、このマークが「＄ｅｃｏ」であるか否かを判断する（ステップＳ１８）。検出したマークが「＄ｅｃｏ」であると判断された場合（ステップＳ１８、Ｙｅｓ）、ラベル「：ｅｃｏ」で参照される定型文（例えば、“経済情報です。”）を、定型文蓄積手段１３ａから検索して、当該読み上げ用情報に追加（挿入）する（：ｅｃｏで参照される定型文追加）（ステップＳ１９）。
【００７５】
その後、これらの動作が情報種別を示すマーク毎に繰り返され、定型文挿入手段１３は、読み上げ用情報の最後に記述されているラベル「：ｅｎｄ」について、定型文蓄積手段１３ａを参照して、定型文（独自情報）を追加（挿入）する（ステップＳ２０）。この場合、追加（挿入）される定型文が、例えば、“最新の情報をお伝えしました。時刻は「＄ｔｉｍｅ」になりました。”であった場合、「＄ｔｉｍｅ」には、時刻情報発生手段１３ｂで発生される時刻情報が代入される。
【００７６】
この定型文挿入手段１３の一連の動作を通じて生成される定型文挿入読み上げ用情報の例を、図１０に示す。この図１０に示すように、定型文挿入読み上げ用情報の冒頭には「時刻は＄ｔｉｍｅとなりました。最新の情報をお伝えします。」が挿入されており、また、情報種別を示すマーク「＄ｎｅｗｓ」の後には「ニュースです。」が挿入されており、このマークの最後（最後の項目の後）には「ニュースをお伝えしました。」が挿入されている。さらに、別の情報種別を示すマーク「＄ｅｃｏ」の後には「経済情報です」が挿入されており、このマークの最後（最後の項目の後、定型文挿入読み上げ用情報の最後）には、「時刻は、＄ｔｉｍｅです」が挿入されている。
【００７７】
図１に戻って、データ放送コンテンツ受信変換装置１の構成の説明を続ける。
読み方変換手段１５は、定型文挿入手段１３から出力された定型文挿入読み上げ用情報に含まれている語句（表記、文言、用語）の読み方を変換して、最終的に読み上げ出力手段２１で読み上げる形式の変換データにするもので、読み方設定辞書蓄積手段１５ａを備えている。
【００７８】
この読み方変換手段１５で読み方を変換する語句は、日常使用されない難解な文字や、特殊な読み方をする人名・地名や、英文の略語等である。つまり、この読み方変換手段１５は、定型文挿入読み上げ用情報を読み上げてそのまま音声出力した場合に、意味をなさなかったり、違和感が生じたりする語句の読み方を、意味が通じるように、違和感が生じないような一般的なわかりやすい読み方に変換するものである。
【００７９】
この読み方変換手段１５は、定型文挿入読み上げ用情報に含まれている語句の読み方を変換する際に、読み方設定辞書蓄積手段１５ａに予め蓄積されている読み方設定辞書を参照すると共に、支援情報出力制御手段２９から出力される支援情報（読み上げ用拡張変換辞書、読み上げ用変換規則情報）を参照する。
【００８０】
すなわち、この読み方変換手段１５は、これら（読み方設定辞書、読み上げ用拡張変換辞書、読み上げ用変換規則情報）を参照することにより、比較的単純な文書一致検索機能および置換機能によって、定型文挿入読み上げ用情報に含まれている語句の読み方の変換を実現している。
【００８１】
なお、読み方変換手段１５は、定型文挿入読み上げ用情報に含まれている語句の読み方を、特定分野に用いられる専門用語（略語）の読み方が収められている読み上げ用拡張変換辞書を用いて変換した場合、変換データにおける＄ｉｔｅｍの部分に含まれる“ｇｅｎｒｅ＝数値”の数値（予め、特定分野毎に設定されている数値、後記する）を書き換える処理をする。この“ｇｅｎｒｅ＝数値”の数値は、読み方を変換した語句の種別を示すものである。
【００８２】
読み方設定辞書蓄積手段１５ａは、メモリ、ハードディスク等の記憶媒体から構成されており、読み方設定辞書を蓄積しているものである。読み方設定辞書は、語句（表記、文言、用語）の基本的な読み方（音素列）が設定されたもの（データ群）であり、一般的な国語辞書と言えるものである。例えば、定型文挿入読み上げ用情報に、「イラクの戦闘集団は邦人の人質を解放した。」という情報内容（読み上げ提示用のデータ）が含まれていた場合、読み方設定辞書には、戦闘集団の読み方である「せんとうしゅうだん」が収められており、邦人の読み方である「ほうじん」が収められている。
【００８３】
また、読み方変換手段１５に支援情報として入力される読み上げ用拡張変換辞書は、日常使用されない難解な文字や、特殊な読み方をする人名・地名や、英文の略語等の読み方が設定されたもの（データ群）である。例えば、定型文挿入読み上げ用情報に、“ＵＮＩＣＥＦ”という語句が含まれていた場合、読み上げ用拡張変換辞書には、この“ＵＮＩＣＥＦ”に対応する読み方である「ユニセフ」が収められており、さらに、このユニセフの正式な名称である「国連児童基金」およびユニセフの詳細な説明文が収められている。
【００８４】
また、この読み上げ用拡張変換辞書には、特定分野に用いられる専門用語の読み方が収められている。特定分野とは、政治経済（１）、産業（２）、国際関係（３）、医学・健康（４）、社会生活（５）、文化・芸術（６）、コンピュータ・技術（７）、趣味・スポーツ（８）等の分野を指している。例えば、この読み上げ用拡張変換辞書には、医学・健康分野における“心肺”という語句に対応する読み方である「しんぱい」が収められている。
【００８５】
この例のように、読み方変換手段１５では、定型文挿入読み上げ用情報に含まれている語句「心肺」の読み方を、特定分野に用いられる専門用語（略語）の読み方が収められている読み上げ用拡張変換辞書を用いて「しんぱい」に変換しているので、変換データにおける＄ｉｔｅｍの部分に含まれる“ｇｅｎｒｅ＝数値”は“４”となる。
【００８６】
さらに、読み方変換手段１５に支援情報として入力される読み上げ用変換規則情報は、定型文挿入読み上げ用情報に含まれている特殊な文字・記号を読みかえる処理が設定されたもの（データ群）である。特殊な文字・記号は、例えば、スポーツ結果等でよく用いられる１−２等の対象を表す「−」“対”や、東京〜大阪等の区間を表す「〜」“間”や、１０：３０等の時分を表す「：」“何時何分”や、４／１３等の月日を表す「／」“何月何日”である。さらに、特殊な文字・記号は、視認性を向上させる文字記号であり、例えば、、「○×」等の固有名詞を強調する「「」および「」」“括弧（カギ括弧）”や、△△・▽▽等の人名を区切る「・」“なかてん”等である。
【００８７】
ここで、読み方変換手段１５に支援情報として入力される読み上げ用拡張変換辞書の例を、図１１に、読み方変換手段１５に支援情報として入力される読み上げ用変換規則情報の例を図１２に示す。
【００８８】
図１１に示すように、読み上げ用拡張変換辞書は、種別と、表記（語句）と、読みと、補足情報と、語句が属する代表的な分野とが対応付けられているものである。
種別は、表記（語句）に対する補足情報の有無を識別する識別情報（識別フラグ）であり、補足情報がない場合には“０”で表され、補足情報がある場合には“１”で表される。
表記（語句）は、定型文挿入読み上げ用情報に含まれているそのままの状態を表している。
読みは、表記（語句）の読み方を表している。
【００８９】
補足情報は、表記（語句）を詳細に説明する文、表記（語句）の正式な名称等を含むものである。
語句が属する代表的な分野は、定型文挿入読み上げ用情報に変換する前のデータサービス情報の情報種別を示す分野情報それぞれに対して、予め割り振られた番号によって表されている。
【００９０】
例えば、図１１に示した読み上げ用拡張変換辞書には、種別「１」の表記「ＯＥＣＤ」が読み「ＯＥＣＤ」と補足情報「経済開発協力機構」とに関連付けられて収められており、種別「１」の表記「ＵＮＩＣＥＦ」が読み「ユニセフ」と補足情報「国際児童基金」とに関連付けられて収められている。さらに、種別「０」の表記「米」が読み「アメリカ」と関連付けられて収められており、種別「０」の表記「口」が読み「ロシア」と関連付けられて収められている（収録されている）。
【００９１】
なお、図１１に示した読み上げ用拡張変換辞書は、基本的には、読み方設定辞書蓄積手段１５ａに蓄積されている読み方設定辞書に含まれていない語句を収録しているものである。しかし、データ放送コンテンツが最新の情報を提供するものであるので、必要とされる語句、当該語句の読み方および当該語句の定義は、常に更新されて行かなければならない。
【００９２】
それゆえ、データ放送コンテンツ受信変換装置１では、読み上げ用拡張変換辞書の内容を更新する（新たな語句を付加する）ために、最新の読み上げ用拡張変換辞書を放送波として、データ放送コンテンツ受信復調手段３で受信する形態をとっている。
【００９３】
なお、最新の読み上げ用拡張変換辞書自体を受信せずとも、新たな語句のみを追加するように構成してもよいし、一定期間経過した読み上げ用拡張変換辞書（一定期間利用されない語句）は削除するように構成してもよい。すなわち、支援情報として読み上げ用拡張変換辞書を記憶する支援情報記憶手段２９ａ（詳細は後記）に記憶履歴に従って、入力された日時から一定期間（例えば３０日間）使用されなければ（読み出されなければ）順次削除する。
【００９４】
図１２に示すように、読み上げ用変換規則情報は、種別と、表記（特殊な文字・記号）と、条件と、処理と、補足情報とが対応付けられているものである。
種別は、表記（特殊な文字・記号）に対して、前後の文字または数字によって処理の仕方が異なることを示す判別情報（判別フラグ）であり、読み方に新たな文字または数字を補足する場合には“１”で表され、読み方に新たな文字または数字を補足しない場合には“０”で表される。
表記（特殊な文字・記号）は、定型文挿入読み上げ用情報に含まれているそのままの状態を表している。
【００９５】
条件は、表記（特殊な文字・記号）の前後の文字または数字がどのように配置された場合に、処理が行われるかを表している。
処理は、表記（特殊な文字・記号）をどのような読み方にして、前後の文字または数字とどのような順序で読むかを表している。
補足情報は、明記はしていないが、表記（特殊な文字・記号）が学術記号であるのか、単なるマークであるのか、省略文字であるのか等を示すものである。
【００９６】
例えば、図１２に示した読み上げ用変換規則情報には、種別「１」の表記「：」が条件「［数字１］：［数字２］」と処理「［数字１］じ［数字２］ふん」とに関連付けられて収められており、種別「１」の表記「／」が条件「［数字１］／［数字２］」と処理「［数字１］がつ［数字２］ひ」とに関連付けられて収められており、種別「１」の表記「〜」が条件「［文字１］〜［文字２］」と処理「［文字１］［文字２］かん」とに関連けられて収められている。さらに、種別「０」の表記「「」が条件「［文字］＆」と処理「［文字１］」と関連付けられて収められており、種別「０」の表記「・」が条件「［文字１］・［文字２］」と処理「［文字１］［文字２］」と関連付けられて収められている（収録されている）。
【００９７】
ここで、読み方変換手段１５で読み方が変換された変換データ（最終的な読み上げ用情報）の例を、図１３に示す。この図１３に示すように、変換データは、データサービス情報の情報種別を示すマーク＄ｎｅｗｓの中に、項目および当該項目の順序を示すマーク＄ｉｔｅｍを７個（ｉｄ＝１からｉｄ＝７まで）含んでおり、データサービス情報の情報種別を示すマーク＄ｅｃｏの中に、項目および当該項目の順序を示すマーク＄ｉｔｅｍが少なくとも１個（ｉｄ＝１）を含んで構成されている。なお、読み方が変換された語句（読み上げ用拡張変換辞書が使用された場合）には、二重取消線が引かれており、読み方が付加されたり削除されたりした表記（特殊な文字・記号であり、読み上げ用変換規則情報が使用された場合）には、一重取消線が引かれている。
【００９８】
＄ｉｔｅｍ  ｉｄ＝２では、読み上げ用変換規則情報が用いられて、表記（特殊な文字・記号）である「・」、「「」および「」」が削除されいる。
【００９９】
また、＄ｉｔｅｍの部分に含まれる、読み方を変換した語句の種別を示す“ｇｅｎｒｅ＝数値”が、＄ｉｔｅｍ  ｉｄ＝１では、４であり、この数値は、“心肺”の読み方（記述）を“しんぱい”と解釈した結果、当該語句のジャンルが特定分野（医学・健康分野）に属すと判明したことによるものである。
また、＄ｉｔｅｍ  ｉｄ＝３では、“ｇｅｎｒｅ＝数値”が３であり、この数値は、“ロ”の読み方（記述）を“ロシア”と解釈した結果、当該語句のジャンルが特定分野（国際関係）に属すと判明したことによるものである。
【０１００】
また、＄ｉｔｅｍ  ｉｄ＝５では、“ｇｅｎｒｅ＝数値”が１であり、この数値は、片山総務大臣”の読み方（記述）を“かたやまそうむだいじん”と解釈した結果、当該語句のジャンルが特定分野（政治経済）に属すと判明したことによるものである。
また、＄ｉｔｅｍ  ｉｄ＝７では“ｇｅｎｒｅ＝数値”が１であり、この数値は、武部”の読み方（記述）を“たけべ”と解釈した結果、当該語句のジャンルが特定分野（政治経済）に属すと判明したことによるものである。
【０１０１】
このように、読み方変換手段１５で読み方が変換されると、読み方があまり知られていない略字や語句の読み方が平仮名に変換され、通常、読み上げられることのない表記が削除されることになる。
【０１０２】
図１に戻って、データ放送コンテンツ受信変換装置１の構成の説明を続ける。
読み上げ速度変更手段１７は、読み方変換手段１５で定型文挿入読み上げ用情報が変換された変換データを、読み上げ出力手段２１で読み上げる際の速度（読み上げ速度）を変更（調整）するものである。なお、この読み上げ速度変更手段１７において、変換データの読み上げ速度の変更は、操作指示手段３１から入力され変換された制御体系信号に基づいて行われる。また、操作指示手段３１からの制御信号が入力されない場合には、予め設定した読み上げ速度（標準読み上げ速度）で読み上げられるように、変換データが読み上げ出力手段２１に出力される。
【０１０３】
所要時間解析手段１９は、読み方変換手段１５で定型文挿入読み上げ用情報が変換された変換データを読み上げるのに要する時間（所要時間）を解析するものである。この所要時間解析手段１９では、変換データに含まれている文字数によって、所要時間が決定される。
なお、変換データの読み上げ速度が変更されない場合、この所要時間解析手段１９には、当該変換データは入力されない。
【０１０４】
読み上げ出力手段２１は、読み上げ速度変換手段１７で読み上げ速度が変更された（または、標準読み上げ速度）変換データを、音声合成して読み上げるものである。つまり、この読み上げ出力手段２１は、一般的な音声合成装置と言えるものである。
【０１０５】
この読み上げ出力手段２１には、変換データを読み上げる際に、適切なポーズ（空白時間）を挿入する機能や当該変換データの構文構造に従ってアクセントを付加する機能が備えられている。
【０１０６】
位置情報取得手段２３は、ＧＰＳ（Ｇｌｏｂａｌ  Ｐｏｓｉｔｉｏｎｉｎｇ  Ｓｙｓｔｅｍ）と連動することによって、データ放送コンテンツ受信変換装置１が現在ある場所、つまり、現在の位置情報（現在位置情報）を取得するものである。現在位置情報は、緯度経度で表される地表上の座標を指すものである。
【０１０７】
現在位置情報変換手段２５は、位置情報取得手段２３で取得された現在位置情報を、データ放送方式で指定されている位置表現方式に変換するもので、位置情報対応データ蓄積手段２５ａを備えている。
【０１０８】
位置情報対応データ蓄積手段２５ａは、メモリ、ハードディスク等の記憶媒体によって構成されており、現在位置情報に対応する、データ放送方式で指定されている位置表現方式の対応データ（規定情報）を蓄積しているものである。この実施形態では、対応データとして、日本国内の各地域毎に設定されている郵便番号を蓄積している。つまり、現在位置情報変換手段２５は、位置情報対応データ蓄積手段２５ａを参照して、現在位置情報を郵便番号に変換している。なお、この郵便番号に限定されず、例えば、特定の地域（県、市（町）、区）に直接変換されてもよい。
【０１０９】
現在位置情報変換手段２５で変換された郵便番号は、読み上げ用情報生成手段１１に出力され、データサービス情報が項目毎に分類されたＢＭＬ文書から読み上げ用情報を生成する際に参照される。例えば、データサービス情報（データ放送コンテンツ）が気象情報（天気予報）に関するものである場合、当該郵便番号によって、読み上げ用情報生成手段１１は、データ放送コンテンツ受信変換装置１が現在ある場所の気象情報のみをピックアップして、読み上げ用情報を生成することができる。
【０１１０】
ちなみに、現在、放送局から衛星放送によって配信されているデータ放送コンテンツの一つである気象情報には、データ放送コンテンツ受信変換装置１の現在位置情報として郵便番号に係るデータ（郵便番号データ）が含まれており、当該装置１の利用者は、リモコン（この実施形態では操作指示手段３１に相当している）を操作して、郵便番号を入力、或いは、事前に登録しておくことで、当該気象情報から当該装置１の利用者が所望する地域の気象情報を抽出することが可能である。そこで、このデータ放送コンテンツ受信変換装置１では、当該装置１の利用者が、郵便番号を入力する（事前に登録しておく）ことなしに、位置情報取得手段２３および現在位置情報変換手段２５によって、自動的に現在位置情報を郵便番号に変換することで、現在位置（例えば、居住地）に係る気象情報を取得可能にしている。
【０１１１】
制御情報信号記憶手段２７は、メモリ等の記憶媒体によって構成されており、データ放送コンテンツ受信復調手段３で受信され、復調された制御情報信号を記憶するものである。また、この制御情報信号記憶手段２７は、操作指示手段３１から出力された制御体系信号に基づいて、記憶している制御情報信号をデータ放送コンテンツ受信復調手段３に返信するものである。
【０１１２】
支援情報出力制御手段２９は、トランスポートストリーム信号復号手段５から出力された支援情報（読み上げ用拡張変換辞書、読み上げ用変換規則情報および変換情報に対応する対応情報）の読み方変換手段１５への出力を制御するもので、支援情報記憶手段２９ａを備えている。
【０１１３】
支援情報記憶手段２９ａは、メモリ等の記憶媒体によって構成されており、支援情報出力制御手段２９の制御に従って、支援情報を記憶すると共に、記憶している支援情報を出力するものである。
【０１１４】
操作指示手段３１は、データ放送コンテンツ受信変換装置１に対して、当該装置１の利用者が様々操作を行う際に供するもので、複数の操作ボタンと、この操作ボタンが押下された際に予め設定されている赤外線パターン（制御体系信号）を発光する赤外光発光部とを備えている。
【０１１５】
この操作指示手段３１の操作によって、図示を省略した表示装置には、図１４に示す設定ダイアグラムが表示される。
この図１４に示した設定ダイアグラムは、図示を省略した表示装置が、例えば、２４０×３２０ドット程度の表示画面（提示画面）を備えているものとし、読み上げ出力手段２１で読み上げる変換データとして、ニュース、気象情報、円と株（経済情報）、スポーツ、福祉、おすすめ（予め放送局側で指定したもの）の項目（希望コンテンツ）が含まれているものとした場合の、各種の処理を設定する設定画面である。
【０１１６】
この設定ダイアグラムには、読み上げる音声（男性または女性）を設定する「読み上げ設定」のクリックポイントと、読み上げる速度（速、中、遅）を設定する「読み上げ速度」のクリックポイントと、読み上げてもらいたいコンテンツを設定する「希望コンテンツ」のクリックポイントと、読み上げてもらいたいコンテンツの特定分野を設定する「希望ニュース分野」のクリックポイントと、現在位置情報変換手段２５で変換された現在位置情報をそのまま反映させるか否かを設定する「受信位置」のクリックポイントと、時刻情報発生手段１３ｂで発生された時刻情報を挿入するか否かを設定する「時刻挿入」のクリックポイントと、読み上げ速度変更手段１７で変更される所要時間の調整を行うか否かを設定する「時間調整」のクリックポイントと、読み上げにかかる所要時間を設定する「総時間」を挿入する挿入欄と、他の画面移行する「戻る」のクリックボタンとが備えられている。
【０１１７】
なお、図示を省略した表示装置が備えられていない場合、または、図示を省略した表示装置が、例えば、行数が２行で、且つ、１行で１０文字の文字列を表示する簡略化された表示機能しか有していない場合には、読み上げ出力手段２１によって、図１４に示した設定ダイアグラムの内容を順次読み上げて、当該装置１の利用者に通知し、操作指示手段３１によって設定してもらうことも可能である。
【０１１８】
この設定ダイアグラムの設定によって、読み上げる音声の設定、速度の設定、読み上げるコンテンツ設定等、各種の設定が行えると共に、当該装置１の利用者が読み上げ出力手段２１で読み上げて欲しくないものを設定することができる。つまり、読み上げて欲しくいない情報の消去も行えることになる。
【０１１９】
例えば、当該装置１の利用者が興味を持っているデータ放送コンテンツ（データサービス情報）がニュースおよび気象情報（希望コンテンツのクリックポイントの中で、「ニュース」および「気象情報」がクリックされている場合）であり、ニュースの中で興味がある分野が政治、経済、スポーツおよび文化（希望ニュース分野のクリックポイントの中で、「政治」、「経済」、「スポーツ」および「文化」がクリックされている場合）である際には、クリックした項目の中で重要度を表す情報（重要度情報）が設定されている場合には、優先的に読み上げる。また、「希望コンテンツ」を設定するクリックポイントがクリックされていない項目で、且つ、重要度が設定されていない（重要度が低く設定されている場合）には、読み上げ用情報生成手段１１で消去されることになる。
【０１２０】
また、当該装置１の利用者は、「希望コンテンツ」を設定するクリックポイントの中で「おすすめ」をクリックしておくことで、予め、放送局側で設定した重要度に応じた任意の情報を当該装置１で読み上げてもらうことができる。
【０１２１】
なお、このデータ放送コンテンツ受信変換装置１は、当該装置１の利用者（放送サービスの利用者）が自動車の運転中や道路を歩行中である場合であっても、当該装置１の利用者（放送サービスの利用者）の安全を確保するため（放送サービス利用時の安全性確保）に、簡単に操作可能なように、可能な限り少ない操作指示で起動、選局等が行えるように構成されている。
【０１２２】
さらに、このデータ放送コンテンツ受信変換装置１は、固定してデータ放送コンテンツを受信する際に、現在位置情報を取得することで、当該現在位置情報に関連するデータ放送コンテンツ（例えば、気象情報）に簡単にリンク可能に構成されている。さらにまた、データ放送コンテンツの素材を共有化すること（後記する変換規則による定型文挿入や読み方の変換）によって、放送局側で当該データ放送コンテンツを制作する場合に制作コスト削減を実現している。
【０１２３】
〈データ放送コンテンツ受信変換装置の動作〉
次に、図１５に示すフローチャートを参照して、データ放送コンテンツ受信変換装置１の動作（全体動作）について説明する（適宜、図１参照）。
まず、データ放送コンテンツ受信変換装置１は、放送波として配信されているデータ放送コンテンツを、データ放送コンテンツ受信復調手段３によって、受信して、トランスポートストリーム信号（ＴＳ信号）に復調する（ステップＳ２１）。
【０１２４】
続いて、データ放送コンテンツ受信変換装置１は、トランスポートストリーム信号復号手段５によって、トランスポートストリーム信号（ＴＳ信号）を復号して（ステップＳ２２）、支援情報と、変換情報と、データサービス情報とを出力する。そして、データ放送コンテンツ受信変換装置１は、変換情報選択手段７によって、支援情報に基づいて、変換情報を選択する（ステップＳ２３）。
【０１２５】
そして、データ放送コンテンツ受信変換装置１は、項目分類手段９によって、データサービス情報（ＢＭＬ文書）を、変換情報選択手段７で選択された変換情報（ＸＳＬＴ文書）に基づいて、項目に分類して（ステップＳ２４）、読み上げ用情報生成手段１１に出力する。
【０１２６】
そして、データ放送コンテンツ受信変換装置１は、読み上げ用情報生成手段１１によって、項目分類手段９で分類された項目（ＢＭＬ文書）から読み上げ用情報を生成し（ステップＳ２５）、定型文挿入手段１３に出力する。すると、データ放送コンテンツ受信変換装置１は、定型文挿入手段１３によって、読み上げ用情報生成手段１１で生成された読み上げ用情報に含まれているマーク（ラベル）に基づいて、定型文蓄積手段１３ａに蓄積されている定型文を、当該読み上げ用情報に挿入する（ステップＳ２６）。
【０１２７】
そして、データ放送コンテンツ受信変換装置１は、読み方変換手段１５によって、定型文挿入手段１３で定型文が挿入された定型文挿入読み上げ用情報に含まれている語句の読み方を、読み方設定辞書蓄積手段１５ａに蓄積されている読み方設定辞書と、支援情報に含まれている読み上げ用拡張変換辞書および読み上げ用変換規則情報とに基づいて、変換し（ステップＳ２７）、変換データとして読み上げ速度変換手段１７に出力する。
【０１２８】
そして、データ放送コンテンツ受信変換装置１は、所要時間解析手段１９によって、変換データを読み上げるのに要する所要時間を解析する（ステップＳ２８）。そして、データ放送コンテンツ受信変換装置１は、読み上げ速度変換手段１７によって、操作指示手段３１から制御体系信号（設定ダイアグラムにおける読み上げ速度の設定）と、所要時間解析手段１９で解析した所要時間とに基づいて、読み上げ速度を変更するか否かを判断する（ステップＳ２９）。
【０１２９】
ここで、読み上げ速度を変更すると判断した場合（ステップＳ２９、Ｙｅｓ）には、データ放送コンテンツ受信変換装置１は、読み上げ速度変換手段１７によって読み上げ速度を変更し（ステップＳ３０）、変換データを読み上げ出力手段２１に出力する。読み上げ速度を変更すると判断しなかった場合（ステップＳ２９、Ｎｏ）には、読み上げ速度を変更せずに変換データを読み上げ出力手段２１に出力する。
【０１３０】
その後、データ放送コンテンツ受信変換装置１は、読み上げ出力手段２１によって、変換データを読み上げて出力する（ステップＳ３１）。
【０１３１】
以上、本発明の実施形態について説明したが、本発明は前記実施形態には限定されない。例えば、本実施形態では、データ放送コンテンツ受信変換装置１として説明したが、当該装置１の各構成の処理を汎用または特殊なコンピュータ言語で記述したデータ放送コンテンツ受信変換プログラムとみなすことは可能である。この場合、データ放送コンテンツ受信変換装置１と同様の効果を得ることができる。
【図面の簡単な説明】
【０１３２】
【図１】本発明の実施形態に係るデータ放送コンテンツ受信変換装置のブロック図である。
【図２】変換情報であるＸＳＬＴ文書の一例を示した図である。
【図３】トランスポートストリーム信号復号手段から出力されたデータサービス情報の一例（記述例）を示した図である。
【図４】タグ付けしたＸＭＬ文書を示した図である。
【図５】データサービス情報（ＢＭＬ）を読み上げ用情報の一部として、木構造に展開した図である。
【図６】読み上げ用情報生成手段の動作例を説明したフローチャートである。
【図７】読み上げ用情報生成手段の一連の動作を通じて生成される読み上げ用情報の例を示した図である。
【図８】定型文蓄積手段に蓄積されているラベルと定型文との対応情報の例を示した図である。
【図９】定型文挿入手段の動作例を説明したフローチャートである。
【図１０】定型文挿入手段の一連の動作を通じて生成される定型文挿入読み上げ用情報の例を示した図である。
【図１１】読み方変換手段に支援情報として入力される読み上げ用拡張変換辞書の例を示した図である。
【図１２】読み方変換手段に支援情報として入力される読み上げ用変換規則情報の例を示した図である。
【図１３】読み方変換手段で読み方が変換された変換データ（最終的な読み上げ用情報）の例を示した図である。
【図１４】操作指示手段の操作によって、図示を省略した表示装置に表示される設定ダイアグラムの例を示した図である。
【図１５】図１に示したデータ放送コンテンツ受信変換装置の全体動作を説明したフローチャートである。
【符号の説明】
【０１３３】
１      データ放送コンテンツ受信変換装置
３      データ放送コンテンツ受信復調手段
５      トランスポートストリーム信号復号手段
７      変換情報選択手段
９      項目分類手段
１１    読み上げ用情報生成手段
１３    定型文挿入手段
１３ａ  定型文蓄積手段
１５    読み方変換手段
１５ａ  読み方設定辞書蓄積手段
１７    読み上げ速度変更手段
１９    所要時間解析手段
２１    読み上げ出力手段
２３    位置情報取得手段
２５    現在位置情報変換手段
２５ａ  位置情報対応データ蓄積手段
２７    制御情報信号記憶手段
２９    支援情報出力制御手段
２９ａ  支援情報記憶手段
３１    操作指示手段
【図１】
2005316031.tif 000003
【図２】
2005316031.tif 000004
【図３】
2005316031.tif 000005
【図４】
2005316031.tif 000006
【図５】
2005316031.tif 000007
【図６】
2005316031.tif 000008
【図７】
2005316031.tif 000009
【図８】
2005316031.tif 000010
【図９】
2005316031.tif 000011
【図１０】
2005316031.tif 000012
【図１１】
2005316031.tif 000013
【図１２】
2005316031.tif 000014
【図１３】
2005316031.tif 000015
【図１４】
2005316031.tif 000016
【図１５】
2005316031.tif 000017